(57)【要約】【課題】蓋開放時の高さを抑え、操作が増えず、また、蓋を閉じる時も操作しやすい蓋開閉装置を提供する。【解決手段】炊飯器本体１０の上面を覆う蓋２０と、一端が前記蓋２０の後端に板バネ１９を介して連結されると共に他端が前記炊飯器本体１０に回動自在に支持されたアーム１８と、前記アーム１８を後方に回動するように付勢するキックバネ２３とを備え、前記アーム１８の回動中心を前記炊飯器本体１０の上面より下方に位置させたもので、蓋２０の開成時に、板バネ１９により、中間開放位置まで開かせ、次いでアーム１８をキックバネ２３により回動して蓋２０を全開させることができるので、蓋開放時の高さを抑え、操作を増やすことなく容易に蓋２０を開けることができるものである。【選択図】図１
2006075393.tif 000002
【特許請求の範囲】
【請求項１】
機器に設けられた収納部を覆う蓋と、一端が前記蓋の後端に可撓部材を介して連結されると共に他端が前記機器に回動自在に支持されたアームと、前記アームを後方に回動するように付勢する付勢手段とを備え、前記アームの回動中心を前記機器の上面より下方に位置させた蓋開閉装置。
【請求項２】
アームの回動中心を機器に設けた収納部より後方に配し、かつ前記アームを前記機器の両側面より内方に位置させた請求項１に記載の蓋開閉装置。
【請求項３】
蓋の前部に引き手を備えた請求項１又は２に記載の蓋開閉装置。
【請求項４】
アームの回動速度を抑制する回動抑制装置と、前記アームの回動範囲を規制する回動範囲規制部材を有する請求項１〜３のいずれか１項に記載の蓋開閉装置。
【請求項５】
アームの回動角度を調整できるようにした請求項１〜４のいずれか１項に記載の蓋開閉装置。
【請求項６】
アームの下端に設けた回動支軸を保持する部材を、機器の収納部の一部に設けた請求項１記載の蓋開閉装置。
【請求項７】
機器本体に回動自在に軸支された持ち運び用のハンドルの回動と、蓋の回動とが干渉しないようにした請求項１〜６のいずれか１項に記載の蓋開閉装置。
【請求項８】
調理物を収納する鍋と、前記鍋を着脱自在に収納する収納部と、請求項１〜７のいずれか１項に記載の蓋開閉装置を備えた炊飯器。
【発明の詳細な説明】
【技術分野】
【０００１】
本発明は、機器に設けられる蓋の蓋開閉装置及び炊飯器に関するものである。
【背景技術】
【０００２】
従来、回動する蓋を有する炊飯器等の機器をキャビネットに収納して使用する場合、蓋を開けた時、蓋がキャビネットの天面に当たって開き切らず機器の内容物を取り出し難いという課題があった。その課題を解消するため、蓋の回動中心を本体の上面より下げて、蓋を開けた時の高さを低くするようにしたものがある（例えば、特許文献１参照）。
【０００３】
図６は、従来の一般的な蓋開閉機構を有する炊飯器を示すもので、炊飯器本体１内部に内鍋２を設け、蓋３は本体１の上面後部に設けたヒンジ４を介して本体１に開閉自在に取りつけられている。ヒンジ４にはスプリング（図示せず）が設けてあり、蓋３を開放方向に付勢している。蓋３は、その前端に設けたフック３ａを炊飯器本体１に設けた尾錠５に係合して炊飯器本体１に係止される。
【０００４】
上記構成において、尾錠５とフック３ａの係合を解除すると、スプリングの付勢力により蓋３が回動して略垂直に立つ。この時、炊飯器本体１の上方には蓋３の奥行長さ以上の高い空間が必要であった。
【０００５】
そこで、蓋開放時の全高を抑えるために考案されたのが、上記特許文献１に記載された炊飯器で、以下に図７を用いて説明する。
【０００６】
図７において、炊飯器本体１内部に内鍋２を設け、開放途中で回動中心が変更される蓋３により開閉するようになっている。炊飯器本体１には、両側面下方の各第２支軸７を中心として一対のアーム８が回動自在に設けられている。蓋３の後部が、アーム８に、第１支軸６を中心として回動自在に設けられている。
【０００７】
蓋３はフック（図示しない）で炊飯器本体１に係止される。各アーム８の先端には、第１支軸６の両端部がそれぞれ回動自在に連結されている。第１支軸６には、蓋体３を開放方向に付勢する第１スプリング９ａが巻回され、また、各第２支軸７には、アーム８を反時計回り方向に付勢する第２スプリング９ｂが巻回されている。
【０００８】
上記構成により、フックの係止を解除すると、第１のスプリング９ａの付勢力により蓋３が中間開放位置に到達し、ついで、アーム８と共に第２支軸７を中心として、第２スプリング９ｂの付勢力に抗して一体的に時計方向に回動する。
【特許文献１】特開２００２−９５５８３号公報
【発明の開示】
【発明が解決しようとする課題】
【０００９】
しかしながら、上記特許文献１に開示された従来例の蓋開閉装置では、蓋３が中間開放位置（２点鎖線）に到達した時、蓋３の重心位置が第２支軸７の中心を越えて外側に移動していないので自重でアーム８を回動させることにはならない。従って、蓋３は中間開放位置で止まり、更に蓋３を後方へ手で押さない限り、蓋３は全開しない。
【００１０】
現在の炊飯器では、フックの係止を解除すると、蓋３はスプリングの付勢力で全開するが、上記従来の構成では、蓋３の開成時に操作が増えるという課題があった。逆に、蓋３を閉じる場合、蓋３の先端部に、特に引き手等がないので手前に引きにくく、また、誤って蓋３を押しつけると蓋３が炊飯器本体１の上面にぶつかるという課題があった。
【００１１】
本発明は、前記従来の課題を解決するもので、蓋開放時の高さを抑え、操作が増えず、また、蓋を閉じる時も操作しやすい蓋開閉装置およびそれを備えた炊飯器を提供することを目的とする。
【課題を解決するための手段】
【００１２】
前記従来の課題を解決するために、本発明の蓋開閉装置は、機器に設けられた収納部を覆う蓋と、一端が前記蓋の後端に可撓部材を介して連結されると共に他端が前記機器に回動自在に支持されたアームと、前記アームを後方に回動するように付勢する付勢手段とを備え、前記アームの回動中心を前記機器の上面より下方に位置させたもので、蓋の開成時に、可撓部材により、中間開放位置まで開かせ、次いでアームを付勢手段で全開させることができるので、蓋開放時の高さを抑え、操作を増やすことなく容易に蓋を開けることができるものである。
【００１３】
また、本発明の炊飯器は、調理物を収納する鍋と、前記鍋を着脱自在に収納する収納部と、請求項１〜７のいずれか１項に記載の蓋開閉装置を備えたもので、背の低い収納スペースに収納でき、使用勝手が良いものである。
【発明の効果】
【００１４】
本発明の蓋開閉装置は、蓋開放時の高さを抑え、操作が増えず、また、蓋を閉じる時も操作しやすいものである。
【発明を実施するための最良の形態】
【００１５】
第１の発明は、機器に設けられた収納部を覆う蓋と、一端が前記蓋の後端に可撓部材を介して連結されると共に他端が前記機器に回動自在に支持されたアームと、前記アームを後方に回動するように付勢する付勢手段とを備え、前記アームの回動中心を前記機器の上面より下方に位置させたもので、蓋の開成時に、可撓部材により、中間開放位置まで開かせ、次いでアームを付勢手段で全開させることができるので、蓋開放時の高さを抑え、操作を増やすことなく容易に蓋を開けることができるものである。
【００１６】
第２に発明は、特に、第１の発明のアームの回動中心を機器に設けた収納部より後方に配し、かつ前記アームを前記機器の両側面より内方に位置させたもので、機器本体の外郭寸法は従来と同じで、蓋を閉じた状態に維持する係合部材を解除すると、蓋は、可撓部材により中間開放位置まで開き、次いでアームを後方へ回動するように付勢する付勢手段により、スムーズに全開するものである。
【００１７】
第３の発明は、特に、第１又は第２の蓋の前部に引き手を備えたもので、蓋を閉じる時、引き手で蓋を容易に引き寄せ、手前に倒せるので、蓋を容易に閉じることができるものである。
【００１８】
第４の発明は、特に、第１〜３のいずれか１つの発明のアームの回動速度を抑制する回動抑制装置と、前記アームの回動範囲を規制する回動範囲規制部材を有するもので、衝撃がなく静かに蓋が開き、しかも常に蓋の開き角度が一定になるものである。
【００１９】
第５の発明は、特に、第１〜４のいずれか１つの発明のアームの回動角度を調整できるようにしたもので、蓋の開き角度を機器を設置する場所に適したものにすることができる。
【００２０】
第６の発明は、特に、第１〜５のいずれか１つの発明のアームの下端に設けた回動支軸を保持する部材を、機器の収納部の一部に設けたもので、蓋と、その蓋によって閉じられる収納部との位置関係を正確に設定できるものである。
【００２１】
第７の発明は、特に、第１〜６のいずれか１つの発明の機器本体に回動自在に軸支された持ち運び用のハンドルの回動と、蓋の回動とが干渉しないようにしたもので、機器のハンドルと蓋とが当たったりする事がないので、互いにじゃまにならず使用できる。
【００２２】
第８の発明は、調理物を収納する鍋と、前記鍋を着脱自在に収納する収納部と、請求項１〜７のいずれか１項に記載の蓋開閉装置を備えたもので、背の低い収納スペースに収納でき、使用勝手の良い炊飯器を提供する事ができる。
【００２３】
以下、本発明の実施の形態について、図面を参照しながら説明する。なお、この実施の形態により、本発明が限定されるものではない。
【００２４】
（実施の形態１）
本発明の第１の実施の形態における蓋開閉装置について、それを備えた炊飯器を例に、図１〜５を参照しながら説明する。
【００２５】
図１において、炊飯器の本体１０には、その上面を覆う蓋２０が開閉自在に設置されている。本体１０には、ステンレススチール、鉄など磁性体によって形成された鍋１１が着脱自在に収納されると共に、上方の上枠１２と下方のコイルベース１３とから構成された収納部３０が設けられている。
【００２６】
鍋１１は収納時に、収納部３０との間に隙間を有する。コイルベース１３の鍋１１の底部に対向する部分に鍋１１を誘導加熱する誘導加熱コイル１４が配設される。誘導加熱コイル１４は、鍋１１の底部の中心の略真下に中心を有する巻線で形成されている。
【００２７】
鍋１１を、本体１０に収納すると、温度検知手段１５が鍋１１の底面に当接する。１６は制御基板、１７は操作基板である。制御基板１６にはマイクロコンピューター（図示しない）が搭載されている。マイクロコンピューターはソフトウエアにより、誘導加熱コイル１４に交番磁界を発生させるための電流を制御する。
【００２８】
本体１０の後部で、両側面より内方には、アーム１８が設けられ、アーム１８の蓋２０側の一部は、可撓性を有する板バネ１９から形成されている。アーム１８の下端は支軸２１で回動し、支軸２１は、本体１０の収納部３０のコイルベース１３に固定された支軸受け２２で固定されている。アーム１８はキックバネ２３で後ろへ回動するように付勢されている。アーム１８の板バネ１９の上端部は蓋２０の後部に連結されている。
【００２９】
蓋２０の先端部の上部には、引き手２４を設け、先端部の下端にはフック２５を設けている。フック２５は、本体１０の前部に設けた尾錠２６と係合する。蓋２０の下面には、加熱板２７が着脱自在に備えられている。
【００３０】
２８は加熱板２７の周囲に固定されたパッキンである。支軸受け２２の上端部とアーム１８の間は、アーム１８の回動範囲を規制する回動範囲規制部材となるたるみをもたせたベルト２９で結合してあり、アーム１８側のベルト２９の端は両端にピン３１ａを設けた棒３１に固定され、アーム１８に設けた穴３２にピン３１ａを通して棒３１を固定する。図５に示すように、支軸２１はピン３３によってアーム１８と固定されてアーム１８と一体で回動する。支軸２１の端部は、支軸２１の回動速度を抑制する回動規制装置となるダンパー３４と連結されている。
【００３１】
３５は、炊飯器本体１０の両側面に回動自在に軸支された炊飯器本体１０の持ち運び用のハンドルで、ハンドル３５の回動軌跡と、蓋２０の回動軌跡が互いに干渉しないようにしている。
【００３２】
上記構成において、蓋２０の開閉動作を説明する。
【００３３】
尾錠２６を押すと、尾錠２６と蓋２０のフック２５との係合が外れ、板バネ１９の付勢力によりもとへ戻ろうとする反発力で、図２のように蓋２０の前部が浮き上がった状態となる。続いて、図３のように、キックバネ２３によってアーム１８が後方へ回動するが、その際、支軸２１に設けたダンパー３４によって回動速度が抑制されて、緩やかに後方に回動する。
【００３４】
そして、アーム１８は、図３に示すように、伸びきったベルト２９によって支えられた状態になり蓋２０は開く。アーム１８が回動する際は、回動速度を抑制するダンパー３４により衝撃が起きることはない。ベルト２９の端を固定している棒３１の両端のピン３１ａをアーム１８に設けた別の穴３２に通すことによって、ベルト２９の長さが変わり、蓋２０の開き角度を変えることができる。蓋２０を閉じる時は、蓋２０の前部に設けた引き手２４に指を掛けて手前へ引きながら、本体１０へ押しつけると、フック２５と尾錠２６が係合して蓋２０が閉じた状態で保持される。
【００３５】
また、アーム１８の回動中心を本体１０に設けた収納部３０より後方に配し、かつアーム１８を本体１０の両側面より内方に位置させているので、本体１０の外郭寸法は従来と同じままで、フック２５と尾錠２６の係合解除すると、蓋２０は、板バネ１９により中間開放位置まで開き、次いでアーム１８を後方へ回動するように付勢するキックバネ２３により、スムーズに全開するものである。
【００３６】
また、炊飯器本体１０の持ち運び用のハンドル３５の回動軌跡と、蓋２０の回動軌跡が互いに干渉しないようにしているので、ハンドル３５の回動位置にかかわらず、蓋２０がハンドル３５に衝突したり、引っ掛かることがないので、非常に使用勝手が良いものである。
【産業上の利用可能性】
【００３７】
以上のように、本発明にかかる蓋開閉装置は蓋開放時の高さを抑え、操作を増やすことなく容易に蓋を開けることができるので、炊飯器に限らず回動式の蓋を有する調理器や各種家庭用機器に適用できるものである。
【図面の簡単な説明】
【００３８】
【図１】本発明の第１の実施の形態における蓋開閉装置を備えた炊飯器の蓋が閉じられた状態を示す断面図
【図２】同炊飯器の蓋のフックが尾錠から外れた時の状態を示す断面図
【図３】同炊飯器の蓋が全開した状態を示す断面図
【図４】同炊飯器の断面図
【図５】同炊飯器の要部断面図
【図６】従来の炊飯器の断面図
【図７】従来の他の炊飯器の側面図
【符号の説明】
【００３９】
１０  本体
１１  鍋
１８  アーム
１９  板バネ（可撓部材）
２０  蓋
２１  支軸
２２  支軸受け
２３  キックバネ（付勢手段）
２４  引き手
２５  フック
２６  尾錠
２９  ベルト（回動範囲規制部材）
３４  ダンパー（回動抑制装置）
【図１】
2006075393.tif 000003
【図２】
2006075393.tif 000004
【図３】
2006075393.tif 000005
【図４】
2006075393.tif 000006
【図５】
2006075393.tif 000007
【図６】
2006075393.tif 000008
【図７】
2006075393.tif 000009